(57)【要約】 【課題】  バッテリーポストに装着する作業性を向上させるために、ネジ部材を鉛直方向に締付けることができるバッテリーターミナルを提供することを目的とする。【解決手段】  バッテリーターミナル１は、バッテリーケーブルＢＣに接続されるケーブル接続部２１、バッテリーポストＢＰに締め付けられる円環状の締付部２２、締付部２２から水平方向に延びた底面部２４および底面部２４の上方に配置された上方部２５とにより構成される。締付ボルト４を上方部２５に挿通し、底面部２４の雌ネジ２４３ａに締め付けることによって、上方部２５が底面部２４に対して下降し、底面部２４に形成されたカム面２４２ａに、上方部２５に設けられたカム係合部２５４が係合する。これにより、上方部２５がカム面２４２ａに導かれて水平方向に移動し、締付部２２がバッテリーポストＢＰに締付けられて、バッテリーターミナル１がバッテリーポストＢＰに装着される。【選択図】  図１０
2005174640.tif 000002
【特許請求の範囲】
【請求項１】
バッテリーケーブルが接続されるケーブル接続部と、
前記ケーブル接続部に連結されるとともに、円周上の一箇所に開口部が設けられた円環状の締付部を有し、
バッテリーポストを前記締付部に挿入した後、前記開口部を形成する一対の端部を互いに締付けることにより、前記締付部が半径方向内方に縮径されて、前記バッテリーポストに装着されるバッテリーターミナルにおいて、
前記締付部の開口部を形成する一端部と連結し、前記締付部の外部に水平方向に拡がった底面部と、前記締付部の開口部を形成する他端部と連結し、前記締付部の外部に延在するとともに、前記底面部の上方に対向して配置された上方部が形成され、
前記底面部には雄ネジ部材および雌ネジ部材のうちのいずれかが固着されるとともに、前記上方部には前記雄ネジ部材が挿通される締付孔が形成され、また、前記底面部および上方部のうちの一側には下方に行くにつれて、水平方向に移動するカム面が形成されるとともに、前記底面部および上方部のうちの他側には前記カム面と上下方向に係合して、前記上方部が下降するにつれて水平方向に移動されるカム係合部が形成されており、
前記雄ネジ部材を前記上方部に形成された締付孔に挿通した後、前記雌ネジ部材に対して螺合させることにより、前記上方部を押圧して前記底面部に対して下降させ、前記カム係合部が前記カム面に係合することにより、前記上方部が前記底面部に対して水平方向に移動して、前記締付部が前記バッテリーポストに対して締付けられて装着されることを特徴とするバッテリーターミナル。
【請求項２】
前記底面部には上方に延びる立壁が連結され、この立壁に上下方向に突条が形成されるとともに、前記上方部の前記立壁と対向する端部に、前記突条と係合する凹部が形成されたことを特徴とする請求項１記載のバッテリーターミナル。
【請求項３】
前記底面部の上面に前記雌ネジ部材が固着され、前記雄ネジ部材を前記上方部に形成された前記締付孔に上方より挿通した後、前記雌ネジ部材に対して螺合させることを特徴とする請求項１または請求項２記載のバッテリーターミナル。
【発明の詳細な説明】
【技術分野】
【０００１】
本発明は、バッテリーのバッテリーポストに取り付けられるバッテリーターミナルに関する。
【背景技術】
【０００２】
従来からバッテリーの電極であるバッテリーポストに取り付けられるバッテリーターミナルとして、バッテリーポストに導電性の円弧部を嵌合させ、その円弧部の端部に連結した一対の締付片に締付ボルトを挿通させた後、ナットを螺合させ、締付ボルトをナットに対して締付けることにより、バッテリーポストに装着されるものがあった（例えば、特許文献１参照）。
【０００３】
上述した従来技術においては、バッテリーポストへ固着させる場合、締付ボルトを水平方向に締付ける必要がある。近年の自動車のエンジンルーム内は、様々な部品が密集して取り付けられており、締付ボルトを水平方向に締付けることは、他部品との干渉の問題から困難をともなう。それに対して、エンジンルームの上方は、ボルトの締付作業を妨げるものが少なく、バッテリーターミナルをバッテリーポストに装着する作業性を向上させるために、ボルトを水平方向に代えて鉛直方向に締付けるほうがよい場合が多い。
【特許文献１】実開昭５５−１２４１７３号公報（第４図）
【発明の開示】
【発明が解決しようとする課題】
【０００４】
本発明は上記のような事情に基づいて完成されたものであって、バッテリーポストに装着する作業性を向上させるために、ネジ部材を鉛直方向に締付けることができるバッテリーターミナルを提供することを目的とする。
【課題を解決するための手段】
【０００５】
上記の目的を達成するための手段として、請求項１の発明は、バッテリーケーブルが接続されるケーブル接続部と、前記ケーブル接続部に連結されるとともに、円周上の一箇所に開口部が設けられた円環状の締付部を有し、バッテリーポストを前記締付部に挿入した後、前記開口部を形成する一対の端部を互いに締付けることにより、前記締付部が半径方向内方に縮径されて、前記バッテリーポストに装着されるバッテリーターミナルにおいて、前記締付部の開口部を形成する一端部と連結し、前記締付部の外部に水平方向に拡がった底面部と、前記締付部の開口部を形成する他端部と連結し、前記締付部の外部に延在するとともに、前記底面部の上方に対向して配置された上方部が形成され、前記底面部には雄ネジ部材および雌ネジ部材のうちのいずれかが固着されるとともに、前記上方部には前記雄ネジ部材が挿通される締付孔が形成され、また、前記底面部および上方部のうちの一側には下方に行くにつれて、水平方向に移動するカム面が形成されるとともに、前記底面部および上方部のうちの他側には前記カム面と上下方向に係合して、前記上方部が下降するにつれて水平方向に移動されるカム係合部が形成されており、前記雄ネジ部材を前記上方部に形成された締付孔に挿通した後、前記雌ネジ部材に対して螺合させることにより、前記上方部を押圧して前記底面部に対して下降させ、前記カム係合部が前記カム面に係合することにより、前記上方部が前記底面部に対して水平方向に移動して、前記締付部が前記バッテリーポストに対して締付けられて装着されることを特徴とするバッテリーターミナルとした。
【０００６】
請求項２の発明は、前記底面部には上方に延びる立壁が連結され、この立壁に上下方向に突条が形成されるとともに、前記上方部の前記立壁と対向する端部に、前記突条と係合する凹部が形成されたことを特徴とする請求項１記載のバッテリーターミナルとした。
【０００７】
請求項３の発明は、前記底面部の上面に前記雌ネジ部材が固着され、前記雄ネジ部材を前記上方部に形成された前記締付孔に上方より挿通した後、前記雌ネジ部材に対して螺合させることを特徴とする請求項１または請求項２記載のバッテリーターミナルとした。
【発明の効果】
【０００８】
＜請求項１の発明＞
雄ネジ部材を上方部に形成された締付孔に挿通した後、雌ネジ部材に対して螺合させることにより、上方部を押圧して底面部に対して下降させ、カム係合部がカム面に係合することにより、上方部が底面部に対して水平方向に移動して、締付部がバッテリーポストに対して締付けられて装着されるため、バッテリーターミナルを鉛直方向に締付けることができ、バッテリーポストに装着する作業性を向上させることができる。
【０００９】
＜請求項２の発明＞
立壁に上下方向に突条が形成されるとともに、上方部の立壁と対向する端部に、突条と係合する凹部が形成されたことにより、バッテリーターミナルの締め付け時に、上方部が底面部に対してずれることなく下降して、バッテリーポストに対して確実に締め付けることができる。
【００１０】
＜請求項３の発明＞
底面部の上面に雌ネジ部材が固着され、バッテリーターミナルの締め付け時に、雄ネジ部材を上方部に形成された締付孔に上方より挿通した後、雌ネジ部材に対して螺合させるため、締付孔に雄ネジ部材を挿通させる前に、底面部と上方部との間の水平方向の相対移動を妨げるものがなく、締付部を自由に拡径することができ、締付部のバッテリーポストへの設置を容易にすることができる。
【発明を実施するための最良の形態】
【００１１】
本発明の実施形態を図１乃至図１０によって説明する。図１および図２に示すように、本実施形態によるバッテリーターミナル１は、ターミナル部材２とその上方から挿通され、本発明の雄ネジ部材に該当する締付ボルト４により構成されている。ターミナル部材２は、構造的には、可撓性を有する導電性を備えた金属板にて一体に成形されたターミナル基体３上に、バッテリーケーブルＢＣのケーブル端子ＫＧと連結されるケーブルボルト２１１を配置したものである。
【００１２】
最初に、図３乃至図５に基づいて、ターミナル部材２について詳述する。ターミナル部材２は機能的には、バッテリーケーブルＢＣに接続されるケーブル接続部２１、バッテリーポストＢＰに装着される締付部２２、締付部２２から延びた立壁２３、立壁２３と連結して締付ボルト４が螺合される底面部２４および上述した締付ボルト４が挿通される上方部２５から構成される。ケーブル接続部２１は、ターミナル基体３の一部を成す金属板にて形成された底板２１２上に、上述したように、ケーブルボルト２１１が、ネジ部が上方に位置するように載置されている。
【００１３】
ケーブルボルト２１１は、その下端部に矩形状の頭部２１１ａが設けられており、頭部２１１ａを覆うように底板２１２と一体のカバー２１３が設けられている。カバー２１３は、底板２１２に対して折り返されて、中心部に形成された貫通孔２１４が、ケーブルボルト２１１に挿通されている。ケーブルボルト２１１は、底板２１２とカバー２１３との間に形成された、互いに対向する側板２１５ａ、２１５ｂによって、その頭部２１１ａが囲まれることにより回転不能とされている。
【００１４】
締付部２２はケーブル接続部２１の底板２１２と連結され、円周上の一箇所に開口部２２１が設けられた円環状に形成されている（図５示）。締付部２２の円環状の部位は、バッテリーポストＢＰの外周面形状に対応してテーパー状に形成されており、その内径はその自由状態（自然状態）において、バッテリーポストＢＰの外径よりも若干大きく形成されている。締付部２２はバネ性を備えており、開口部２２１を形成する一対の端部２２２、２２３を互いに締め付けることにより、半径方向内方に縮径可能とされている。
【００１５】
立壁２３は、開口部２２１を形成する一端部２２２から、締付部２２の半径方向外方に直線状に延びると同時に、後述する底面部２４の固定板２４１から上方に延びており、締付部２２のテーパー形状にあわせて傾いて設けられている。立壁２３のほぼ中央部には、立壁２３を形成する金属板を屈曲させることによって、その内側面に上下方向に突条２３１が設けられている。
【００１６】
底面部２４は立壁２３と一体に設けられており、立壁２３を介して一端部２２２に連結されている。底面部２４は、立壁２３の下端部から締付部２２の外部に水平方向に拡がって形成された固定板２４１と、これに一体に形成されたカム板２４２を有している。図４に示すように、カム板２４２は上方に傾いて延びており、その内側面には、下方に行くにつれて水平方向（図４において右方）に移動するカム面２４２ａが形成されている。固定板２４１の上面のほぼ中央部には、本発明の雌ネジ部材に該当するネジ部２４３が形成されている。ネジ部２４３は、固定板２４１に対し下方よりバーリング加工を施すことにより設けられ、その内部には上述した締付ボルト４が螺合する雌ネジ２４３ａが形成されている。
【００１７】
上方部２５は、開口部２２１を形成する他端部２２３と連結され、他端部２２３から締付部２２の外部に延びて、底面部２４の上方に対向して配置されている。上方部２５は、締付部２２あるいは立壁２３の上端部と同じ高さに配置された上板２５１、上板２５１の一端部から下方に延びる連結板２５２、および連結板２５２の下端部から水平方向に延びて固定板２４１の上方において対向する下板２５３を有している。上板２５１のほぼ中央部には、締付ボルト４を挿通させる締付孔２５１ａが形成されている。締付孔２５１ａは、締付ボルト４に対して上方部２５が水平方向に相対的に移動可能なように、上方部２５の移動方向に長く延びた長円形状とされている（図５示）。
【００１８】
更に、上板２５１の立壁２３と対向する端部には、上述した立壁２３の突条２３１に係合する凹部２５１ｂが形成されている。凹部２５１ｂは、突条２３１の突出形状に対応させて、三角形状に形成されている。また、下板２５３にも上板２５１と同様に、長円形状の締付孔２５３ａと三角形状の凹部２５３ｂが形成されている。図４および図５に示すように、自由状態において凹部２５１ｂ、２５３ｂと突条２３１との間には、上方部２５が水平方向に移動可能なように所定の隙間が形成されている。図４に示すように、連結板２５２の下端部（下板２５３の図４において左端部）には、底面部２４のカム面２４２ａと上下方向に係合して、上方部２５が下降するにつれて、上方部２５を図４の右方に移動させるカム係合部２５４が設けられている。
【００１９】
次に、図６乃至図１０に基づいて、本実施形態によるバッテリーターミナル１のバッテリーポストＢＰへの装着方法について説明する。図６および図７に示すように、最初にバッテリーケーブルＢＣの芯線ＣＷにかしめられたケーブル端子ＫＧの取付孔ＨＬに、バッテリーターミナル１のケーブルボルト２１１を挿通させた後に、ケーブルボルト２１１に対してケーブルナットＮＴを締め付け、バッテリーケーブルＢＣをケーブル接続部２１に固定する。
【００２０】
この時、ケーブルナットＮＴを締め付けることにより、ケーブルボルト２１１は底板２１２から引き離される（図１０示）が、頭部２１１ａがカバー２１３に当接することにより、ターミナル基体３から脱落することはない。また、ケーブルナットＮＴの締め付けにより、ケーブルボルト２１１に回転力が発生するが、その頭部２１１ａがケーブル接続部２１の側板２１５ａ、２１５ｂに当接することにより、その回転が妨げられてケーブルナットＮＴの締め付けに支障はない。図１０に示したように、ケーブル端子ＫＧは、カバー２１３とケーブルナットＮＴとの間で挟圧されることにより、ケーブル接続部２１に固定される。
【００２１】
次に、バッテリーＢＴのバッテリーポストＢＰを、バッテリーケーブルＢＣが接続されたバッテリーターミナル１の締付部２２の内周部に下方から挿入する。上述したように、締付部２２の内径はバッテリーポストＢＰの外径よりも若干大きく形成されているため、締付部２２をバッテリーポストＢＰの下端部までたやすく被せることができる。次に、図８（Ａ）および図９（Ａ）に示すように、上板２５１および下板２５３に形成された締付孔２５１ａ、２５３ａに、締付ボルト４を上方から挿通した後、固定板２４１のネジ部２４３に形成された雌ネジ２４３ａに螺合させる。
【００２２】
その次に、図８（Ｂ）および図９（Ｂ）に示すように、締付ボルト４を雌ネジ２４３ａに締め付けていくことにより、上板２５１が締付ボルト４の頭部に押動されて下降していく。この時、上方部２５の凹部２５１ｂ、２５３ｂが立壁２３の突条２３１に係合しているため、上方部２５は立壁２３に対してずれることなく安定して下降することができる。上方部２５が底面部２４に対して下降することにより、連結板２５２の下端部のカム係合部２５４がカム板２４２のカム面２４２ａに係合して導かれ、上方部２５は下降しながら、底面部２４に対して図８において右方に移動していく。これによって、上方部２５が立壁２３に近づき、開口部２２１を形成する端部２２２、２２３を互いに締め付けて、締付部２２が半径方向内方に縮径され、図１０に示すように、バッテリーターミナル１がバッテリーポストＢＰに装着される。
【００２３】
本実施形態によれば、締付ボルト４を上方部２５に形成された締付孔２５１ａ、２５３ａに挿通した後、雌ネジ２４３ａに対して螺合させることにより、上方部２５を押圧して底面部２４に対して下降させ、カム係合部２５４がカム面２４２ａに係合することにより、上方部２５が底面部２４に対して水平方向に移動して、締付部２２がバッテリーポストＢＰに対して締付けられて装着される。従って、バッテリーターミナル１を鉛直方向に締付けることができ、バッテリーポストＢＰに装着する作業性を向上させることができる。
【００２４】
立壁２３に上下方向に突条２３１が形成されるとともに、上方部２５の立壁２３と対向する端部に、突条２３１と係合する凹部２５１ｂ、２５３ｂが形成されたことにより、締付ボルト４の締め付け時に、上方部２５が底面部２４に対して図９の上下方向にずれることがなく、バッテリーポストＢＰに対して確実に締め付けることができる。また、底面部２４の固定板２４１に雌ネジ２４３ａが形成され、締付ボルト４を上板２５１および下板２５３に形成された締付孔２５１ａ、２５３ａに上方より挿通した後、雌ネジ２４３ａに対して螺合させる構成のため、締付孔２５１ａ、２５３ａに締付ボルト４を挿通させる前に、底面部２４と上方部２５との間の水平方向の相対移動を妨げるものがなく、カム係合部２５４をカム面２４２ａに沿って斜め上方に移動させることにより、締付部２２を自由に拡径することができるため、締付部２２のバッテリーポストＢＰへの設置を容易にすることができる。
【００２５】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）締付ボルトを底面部の固定板に立設して、その先端部を上方部の締付孔に挿通させて上面から突出させた後、雌ネジ部材を締付ボルトに螺合させて締め付けるようにしてもよい。
（２）ケーブル接続部は、バッテリーケーブルの芯線にかしめられて接続されるバレルで構成されていてもよい。
（３）上方部にカム面を形成し、底面部にカム係合部を形成してもよい。
（４）底面部に形成されたカム面は、係合するカム係合部を下降させながら水平に移動させるものであれば、任意の形状が適用可能である。
（５）本発明によるバッテリーターミナルは、車両用バッテリー、家庭用バッテリーあるいは産業用バッテリー等の、あらゆる用途のバッテリーに装着可能である。
【図面の簡単な説明】
【００２６】
【図１】本実施形態によるバッテリーターミナルの正面図である。
【図２】図１に示したバッテリーターミナルの右側面図である。
【図３】図１に示したバッテリーターミナルを構成するターミナル部材の断面図である。
【図４】図３に示したターミナル部材の右側面図である。
【図５】図３に示したターミナル部材の平面図である。
【図６】バッテリーターミナルのバッテリーポストへの装着方法を説明する分解図である。
【図７】図６の平面図である。
【図８】締付部をバッテリーポストに被せた後、締付ボルトを雌ネジに締め付ける前の状態を示したバッテリーターミナルの右側面図（Ａ）、締付ボルトを雌ネジに締め付けた状態を示したバッテリーターミナルの右側面図（Ｂ）である。
【図９】図８（Ａ）の平面図（Ａ）、図８（Ｂ）の平面図（Ｂ）である。
【図１０】バッテリーポストへの装着が完了した状態を示すバッテリーターミナルの正面図である。
【符号の説明】
【００２７】
１…バッテリーターミナル
４…締付ボルト
２１…ケーブル接続部
２２…締付部
２３…立壁
２４…底面部
２５…上方部
２２１…開口部
２２２、２２３…開口部を形成する端部
２３１…突条
２４２ａ…カム面
２４３…ネジ部
２５１ａ、２５３ａ…締付孔
２５１ｂ、２５３ｂ…凹部
２５４…カム係合部
ＢＣ…バッテリーケーブル
ＢＰ…バッテリーポスト
【図１】
2005174640.tif 000003
【図２】
2005174640.tif 000004
【図３】
2005174640.tif 000005
【図４】
2005174640.tif 000006
【図５】
2005174640.tif 000007
【図６】
2005174640.tif 000008
【図７】
2005174640.tif 000009
【図８】
2005174640.tif 000010
【図９】
2005174640.tif 000011
【図１０】
2005174640.tif 000012